(57)【特許請求の範囲】
【請求項１】
被着体１の紐２に装着された紐固定具３を、前記被着体１に保持する保持具４であって、
前記被着体１に取付けられる取付部４０と、前記取付部４０に設けられ前記紐固定具３を収容可能に保持する収容部５０とを備え、
前記紐固定具３は、筒状のソケット１０と、ソケット１０の内部に備えられた付勢手段２０と、前記付勢手段２０に抗して前記ソケット１０内に押し込み可能なプラグ３０とから構成され、前記ソケット１０は、前記プラグ３０が挿入されるプラグ挿入孔１１と、前記プラグ挿入孔１１を通して、かつ、被着体１に対し垂直方向に貫通形成された第１紐通し孔１２とを備え、前記付勢手段２０は、前記プラグ挿入孔１１の底部に収容され、前記プラグ３０に前記ソケット１０から突出する方向へ付勢力を与え、前記プラグ３０は、前記プラグ挿入孔１１に挿入される端部とは反対側端部に形成され、かつ、指などによって押し込み力が与えられる操作部３１と、前記プラグ３０が前記ソケット１０へ所定量押し込まれた際、前記第１紐通し孔１２と連通する第２紐通し孔３２とを備え、
前記取付部４０は、前記収容部５０の周方向に延出しており、前記被着体１と対向する表面とは反対側表面の側縁および下縁に沿って形成され、縫着糸４３が縫い付けられる取付溝４２を備え、
前記収容部５０は、前記紐固定具３を収容する収容空間５６と、前記収容空間５６の一端側に形成されて前記操作部３１を露出させる開口５５と、前記開口５５とは反対側の外面に凹凸に形成された指止め５８と、を有するポケット形状に形成され、
前記紐固定具３の前記ソケット１０が前記収容部５０に収容された状態において前記第１紐通し孔１２に連通する第３紐通し孔４１，５７を備え、前記第３紐通し孔は、前記取付部４０に貫通された取付部側紐通し孔４１と、前記取付部側紐通し孔４１と対向して前記収容部５０に貫通された収容部側紐通し孔５７とから構成されている
ことを特徴とする保持具。
【発明の詳細な説明】
【技術分野】
【０００１】
本発明は、被着体の紐に装着された部品を被着体に保持する保持具に関する。例えば、紐の任意の位置で固定することのできる紐固定具や、２つの紐の端部を互いに結合・分離することのできるバックルなどを、これらの紐が設けられている衣服やバッグ類等の被着体に保持する保持具に関する。
【背景技術】
【０００２】
従来、衣服の袖口やバッグ類の口を絞ったり緩めたりする道具として、紐固定具が用いられている。例えば、図５に示すように、衣服の帽子の開口に沿って紐を通し、この紐の開口まわり長さを調節して帽子の開口を調節する紐固定具１００が用いられている。
紐固定具は、筒状のソケットと、ソケット内にばねなどの付勢手段を介してソケットから突出する方向へ付勢された状態で収納され、かつ、付勢手段に抗してソケット内に押し込み可能であるプラグとから構成される。ソケットには、プラグが挿入されるプラグ挿入孔を通して貫通形成された第１紐通し孔が形成され、プラグには、押し込み力を与える操作部が一端に形成され、かつ、プラグがソケットへ所定量押し込まれた際、第１紐通し孔と連通する第２紐通し孔が形成されている。
【０００３】
プラグをソケットへ押し込み、第２紐通し孔を第１紐通し孔に一致させた状態において、これら第１、第２紐通し孔に紐を通し、紐固定具を紐に沿って任意の位置まで移動させた後、プラグへの押し込み力を開放すると、プラグは付勢手段によってソケットから突出する方向に移動される。すると、第２紐通し孔が第１紐通し孔に対してずれるため、これら紐通し孔によって紐が挟まれ、紐固定具が紐の任意の位置で固定される。
【０００４】
しかし、このような紐固定具は、帽子の開口等を緩めている場合、衣類など被着体に対してぶらつく紐の途中に位置しているため紐と一緒にぶらつく。紐固定具がぶらつくと、紐固定具が外部の他のものに肌に当たったり、引っ掛かったりするなど運動の邪魔となるおそれがある。また、紐固定具がぶらつくと、他のものと接触、衝突するため傷を受けたり、紐固定具としての機能性が損なわれたりするなどの課題がある。さらに、紐固定具は機能上硬質な部材から形成されているため、衣服などに取付けられた紐固定具の場合、紐固定具が直接あるいは衣服などを通じて肌に接触すると、肌が異物感を感じるなどの課題がある。
【０００５】
このような課題を解決するものとして、紐固定具を衣服などの被着体に保持できるようにした例が提案されている（例えば、特許文献１参照）。これは、被着体に紐固定具を保持するアイレットが設けられている。紐固定具には雄爪片が、アイレットには雌爪片がそれぞれ形成され、これらを係合させることによって、紐固定具がアイレットに一体化される。つまり、紐固定具が被着体に保持される。
【特許文献１】実開平７−３９５１８号公報
【発明の開示】
【発明が解決しようとする課題】
【０００６】
しかし、特許文献１に記載の紐固定具は、紐固定具に雄爪片を、アイレットに雌爪片をそれぞれ形成しているために、構成が複雑となり成形が面倒である。また、保持するための手段が雄爪片と雌爪片であるため係脱しにくい。さらに、紐固定具が被着体の表面に露出されているため、外部の他のものとの接触、衝突により損傷を受け、紐固定具の外観や機能性が損なわれたり、紐固定具が直接あるいは衣服などを通じて肌に接触すると、肌が異物感を感じたりするなどの課題も残る。
【０００７】
本発明の目的は、紐がぶらつくことによる課題を解消しつつ、紐固定具の外観および機能性を維持し、かつ、使い勝手が良く、しかも、成形が簡単な保持具を提供することである。
【課題を解決するための手段】
【０００８】
本発明の保持具は、被着体の紐に装着された紐固定具を、前記被着体に保持する保持具であって、前記被着体に取付けられる取付部と、前記取付部に設けられ前記紐固定具を収容可能に保持する収容部とを備え、
前記紐固定具３は、筒状のソケット１０と、ソケット１０の内部に備えられた付勢手段２０と、前記付勢手段２０に抗して前記ソケット１０内に押し込み可能なプラグ３０とから構成され、前記ソケット１０は、前記プラグ３０が挿入されるプラグ挿入孔１１と、前記プラグ挿入孔１１を通して、かつ、被着体１に対し垂直方向に貫通形成された第１紐通し孔１２とを備え、前記付勢手段２０は、前記プラグ挿入孔１１の底部に収容され、前記プラグ３０に前記ソケット１０から突出する方向へ付勢力を与え、前記プラグ３０は、前記プラグ挿入孔１１に挿入される端部とは反対側端部に形成され、かつ、指などによって押し込み力が与えられる操作部３１と、前記プラグ３０が前記ソケット１０へ所定量押し込まれた際、前記第１紐通し孔１２と連通する第２紐通し孔３２とを備え、
前記取付部４０は、前記収容部５０の周方向に延出しており、前記被着体１と対向する表面とは反対側表面の側縁および下縁に沿って形成され、縫着糸４３が縫い付けられる取付溝４２を備え、
前記収容部５０は、前記紐固定具３を収容する収容空間５６と、前記収容空間５６の一端側に形成されて前記操作部３１を露出させる開口５５と、前記開口５５とは反対側の外面に凹凸に形成された指止め５８と、を有するポケット形状に形成され、
前記紐固定具３の前記ソケット１０が前記収容部５０に収容された状態において前記第１紐通し孔１２に連通する第３紐通し孔４１，５７を備え、前記第３紐通し孔は、前記取付部４０に貫通された取付部側紐通し孔４１と、前記取付部側紐通し孔４１と対向して前記収容部５０に貫通された収容部側紐通し孔５７とから構成され
ていることを特徴とする。
【０００９】
このような構成によれば、保持具の取付部が被着体に取付けられているから、紐固定具（以下部品と呼ぶことがある）を収容部に収容するだけで、部品が被着体に固定される。よって、部品がぶらつくことはなく、運動の邪魔にならない。また、部品は収容部に収容されるため、外部の他のものとの接触、衝撃などによる損傷を受けにくくなり部品の外観および機能を維持することができる。さらに、部品が収容部に収容されるため、例え部品が硬質材料で形成されていても、肌が部品より受ける異物感を低減することができる。特に、部品と保持具が別体であることから、例えば、収容部にゴムなどの柔らかい材料を用いれば、部品が柔らかいゴムで覆われ、肌が受ける異物感をさらに低減することができる。
【００１０】
また、部品に対しては、被着体へ取付けるための構成を付加する必要が無いので、従来の部品を利用することができ、保持具も比較的簡単な収容部と取付部とから構成されていることから、構造も単純で、成形に要する手間を少なくできる。
【００１１】
本発明の保持具においては、収容部が収容空間を有するポケット形状に形成されていることから、部品を保持しやすくなり、また、開口から収容空間へ入れやすい。
【００１４】
本発明の保持具においては、紐固定具の操作部が、収容部から露出された状態で収容可能に保持されるので、収容部に収容した状態で操作が行える。
この際、収容部には、開口とは反対側の外面に凹凸に形成された指止めを有することから、紐固定具を収容部に収容した状態で操作が容易に行える。
【００１５】
本発明の保持具においては、ソケットと、前記ソケットの内部に付勢手段を介して前記ソケットから突出する方向へ付勢された状態で収納され、かつ、前記付勢手段に抗して前記ソケット内に押し込み可能であるプラグとを含む紐固定具を収容するとともに、前記ソケットには、前記プラグが挿入されるプラグ挿入孔を通して貫通形成された第１紐通し孔が形成され、前記プラグには、操作部が一端に形成され、かつ、前記プラグが前記ソケットへ所定量押し込まれた際、前記第１紐通し孔と連通する第２紐通し孔が形成され、前記収容部は、前記プラグの前記操作部を露出された状態で、前記紐固定具を収容可能に保持することができる。
【００１６】
このため、プラグの操作部を指などで押して、プラグをソケットへ所定量押し込むと、第２紐通し孔が第１紐通し孔と連通し、これら第１、第２紐通し孔に挿通している紐を滑らかに移動させることができる。紐固定具を紐の任意の位置まで移動させた後、プラグの操作部から指を離し押し込みを開放すると、付勢手段によってプラグがソケットから突出され、第２紐通し孔が第１紐通し孔に対しずれることによって、これら第１、第２紐通し孔によって紐が挟まれ、紐固定具を紐の任意の位置で固定することができる。次に、紐に固定された状態の紐固定具を、予め被着体に取付けておいた保持具の収容部に収容することによって、紐固定具を被着体に保持することができる。
収容部は、プラグの操作部を露出した状態でソケットを収容することから、指などによってプラグの操作部を操作しやすくなる。つまり、紐固定具を使用しやすくなる。
【００１７】
本発明の保持具においては、前記紐固定具の前記ソケットが前記収容部に収容された状態において、前記紐保持具に、前記第１紐通し孔に連通する第３紐通し孔を備えることにより、紐固定具の第１、第２紐通し孔に挿通された紐を、保持具の第３紐通し孔にも挿通させることにより、紐固定具を収容部に収容させた状態で、紐に沿って移動させることができ、また、紐固定具が収容部から抜け落ちるのを防止できる。また、第３紐通し孔を第１、第２紐通し孔と連通させることにより紐固定具と収容部の間に紐が挟まれることはないので、紐固定具を滑らかに移動させることができ、また、紐固定具を収容部に保持しやすくなる。
【００１８】
本発明の保持具において、前記第３紐通し孔は、前記取付部に貫通された取付部側紐通し孔と、前記取付部側紐通し孔と対向する前記収容部に貫通された収容部側紐通し孔とから構成されるため、この取付部側紐通し孔を被着体の引出し孔に一致させた状態で、取付部を被着体に取付けると、引出し孔が保持具によって覆い隠されるので、被着体の外観を向上させることができる。また、取付部側紐通し孔と収容部側紐通し孔が対向して形成されていることから、紐固定具を滑らかに移動させることができる。
【００１９】
本発明の保持具においては、収容部の周方向に延出した取付部において被着体と対向する側とは反対側の表面に取付け溝を備えているため、取付溝では取付部の厚さが薄いので、例えば、縫着糸などによる縫着を取付溝に沿って行うことで縫着しやすくなる。よって、保持具を被着体に取付けやすくなる。
【発明を実施するための最良の形態】
【００２０】
以下、本発明の一実施形態を図面に基づいて説明する。図１は、保持具および紐固定具を示した斜視図、図２は、保持具に紐固定具を収容し紐を挿通した状態の斜視図、図３は、紐に対して移動時の紐固定具および保持具の断面図、図４は、紐に対して固定時の紐固定具および保持具の断面図である。
保持具４は、図１に示すように、衣服などの被着体１の紐２に装着された部品としての紐固定具３を、被着体１に保持するものである。
紐２は、例えば、被着体１が衣類であるとき、その袖口などの開口縁に沿って設けられており、被着体１に形成された引出し孔１Ａを通って、その一端が被着体１の外部へ引き出されている。
【００２１】
紐固定具３は、筒状のソケット１０と、ソケット１０の内部に備えられた付勢手段としてのばね２０を介して突出方向へ付勢された状態で収容され、かつ、ばね２０に抗して押し込み可能であるプラグ３０とから構成される。
ソケット１０は、ポリアセタール、ポリアミド、ポリプロピレン、ＡＢＳ樹脂、ポリカーボナイトなどから形成されており、ソケット１０は、プラグ３０が挿入されるプラグ挿入孔１１と、プラグ挿入孔１１を通して、かつ、被着体１に対し垂直方向に貫通形成された第１紐通し孔１２とを備えている。プラグ挿入孔１１の内面形状は、プラグ３０の外面形状にほぼ一致するように形成されている。
ばね２０は、プラグ挿入孔１１の底部に収容され、プラグ３０をソケット１０から突出する方向へ付勢力を与える。
プラグ３０は、ポリアセタール、ポリアミド、ポリプロピレン、ＡＢＳ樹脂、ポリカーボナイトなどから形成されており、プラグ挿入孔１１に挿入される端部とは反対側端部に形成され、かつ、指などによって押し込み力が与えられる操作部３１と、プラグ３０がソケット１０へ所定量押し込まれた際、第１紐通し孔１２と連通する第２紐通し孔３２とを備えている。
【００２２】
保持具４は、ウレタンなどの樹脂の射出成形によって形成され、被着体１に取付けられる薄盤状の取付部４０と、被着体１と対向する表面とは反対側の取付部４０の表面に一体成形され、かつ、紐固定具３を被覆して収容するポケット状の収容部５０とから構成されている。
取付部４０には、ほぼ中央表面に被着体１に対し垂直方向へ貫通形成された取付部側紐通し孔４１と、被着体１と対向する表面とは反対側表面の側縁および下縁に沿って形成され、縫着糸４３が縫い付けられる取付溝４２が備えられている。
【００２３】
収容部５０は、右側壁５１と、前壁５２と、左側壁５３と、底壁５４とによってポケット状に形成され、ポケット上面に紐固定具３を出し入れできる開口５５と、ポケットであり紐固定具３が収容される収容空間５６とを備えている。開口５５からはプラグ３０の操作部３１が露出されている。つまり、これら壁５１〜５４は、取付部４０と共に、プラグ３０の操作部３１を除いた紐固定具３の全面を被覆している。
前壁５２には、ほぼ中央表面に被着体１に対し垂直な方向へ貫通された収容部側紐通し孔５７が形成されている。底壁５４は、曲面形状であり、外面に波状の凹凸に形成された指止め５８とを備えている。指止め５８は、プラグ３０をソケット１０に対し指で押し込む際に、他の指を当てがうことによってその滑り止めとなる。
収容空間５６は、紐固定具３の外面形状とほぼ一致する内面形状を備えている。
【００２４】
保持具４を被着体１に取付ける方法、および、紐固定具３を保持具４に収容する方法を説明する。
保持具４を被着体１に取付けるには、被着体１の引出し孔１Ａに取付部側紐通し孔４１を連通させた状態で取付部４０を被着体１に当て、取付溝４２に沿って縫着糸４３で縫い付けて保持具４と被着体１を縫合する。
紐固定具３を、紐２を挿通させた状態で保持具４に収容するには、まず、第１紐通し孔１２が取付部側紐通し孔４１および収容部側紐通し孔５７に連通するように、紐固定具３を保持具４の収容部５０に収容する。次に、プラグ３０の操作部３１をソケット１０の方向へ押し込み、第２通し孔３２を第１通し孔１２に連通させる。このとき、被着体１の引出し孔１Ａ、第１紐通し孔１２、第２紐通し孔３２、および、取付部側紐通し孔４１、収容部側紐通し孔５７の全てが互いに連通する。被着体１の紐２を、引出し孔１Ａの方向から各孔に挿通させ、収容部側紐通し孔５７から外部へ引き出す。すると、図２のような状態となる。引き出された紐２の端部は結び目などの止め部を作っておく。
ただし、この取付けおよび収容の手順は上記の限りではなく、紐固定具３および保持具４に紐２を挿通させてから、保持具４を被着体１に取付けてもよい。
【００２５】
図３および図４を用いて、被着体１に保持された紐固定具３の使用方法を説明する。
まず、保持具４の収容部５０の指止めに例えば人差し指を当て、プラグ３０の操作部３１に親指を当てて両者を押し合わせ、プラグ３０をソケット１０へ所定量押し込むと、図３に示すように、紐２を挟んでいた第１紐通し孔１２と第２紐通し孔３２が一致する。これにより、紐２の挟持が開放されるので、紐固定具３および保持具４を挿通した紐２を、滑らかに移動させることができるようになる。紐２を収容部側紐通し孔５７から引き出すと、紐２が設けられた被着体１の開口を絞ることができ、紐２を収容部側紐通し孔５７を通して被着体１の内部へ引き込むと、被着体１の開口を緩めることができる。
【００２６】
被着体１の開口が目的の状態になったところで、プラグ３０の操作部３１から指を離し押し込みを開放すると、図４に示すように、ばね２０によってプラグ３０はソケット１０から突出する方向へ移動し、第２紐通し孔３２が第１紐通し孔１２に対してずれる。すると、第１、第２紐通し孔１２、３２は挿通していた紐２を挟んで固定し、これにより紐２が紐固定具３によって固定される。
【００２７】
本実施形態によると、次のような作用効果を得ることができる。
（１）保持具４が被着体１に取付けられているから、紐固定具３を収容部５０に収容するだけで、紐固定具３が被着体１に固定される。よって、紐固定具３が紐２の途中でぶらつくことはなく、運動の邪魔にならない。
（２）（１）により紐固定具３が紐２と一緒にぶらつくことがなく、かつ、プラグ３０の操作部３１を除いた紐固定具３の全面が保持具４によって被覆されていることから、紐固定具３は、外部の他のものとの接触、衝撃などによる損傷を受けにくくなり、その外観および機能性を維持することができる。
【００２８】
（３）硬質の紐固定具３は、ポリウレタンエラストマー、オレフィン系エラストマー、ポリエステル系エラストマーなどの比較的柔らかい材質の保持具４によって、プラグ３０の操作部３１を除いた全面が被覆されるので、肌が直接または被着体１を通して紐固定具３と接触した際に、肌が感じる異物感を低減することができる。
（４）紐固定具３に、被着体１へ取付けるための構成を付加する必要が無いので、従来用いられている紐固定具３を利用することができる。
【００２９】
（５）保持具４は、比較的簡単な機能を持つ収容部５０と取付部４０とから構成されていることから、構造は単純で、成形に要する手間が少ない。
（６）紐固定具３は保持具４の収容部５０に対して出し入れが可能であることから、紐固定具３を収容部５０から引出して紐２の調節を行い、調節後に収容部５０へ収容することができ、例えば、袖口など紐固定具３が使用しにくい場所に保持されている場合でも、使用しやすくすることができる。
（７）収容部５０が収容空間５６を有するポケット形状に形成されていることから、紐固定具３を保持しやすくなり、また、開口５５から紐固定具３を出し入れしやすい。
【００３０】
（８）収容空間５６の内面形状が紐固定具３の外面形状に沿っていることから、収容空間５６に収容した状態で紐固定具３がガタつくことがなく、しかも、紐固定具３の出し入れがしやすい。
（９）収容部５０は、プラグ３０の操作部３１を露出した状態でソケット１０を収容することから、指などによってプラグ３０の操作部３１を操作しやすくなり、つまり、紐固定具３を使用しやすくなる。
（１０）紐固定具の第１、第２紐通し孔１２，３２に挿通された紐２を、保持具４の取付部側紐通し孔４１および収容部側紐通し孔５７にも挿通させることにより、紐固定具３を収容部５０に収容させた状態で、紐２に沿って移動させることができる。
【００３１】
（１１）紐固定具の第１、第２紐通し孔１２，３２に挿通された紐２を、保持具４の取付部側紐通し孔４１および収容部側紐通し孔５７にも挿通させることにより、紐固定具３が収容部５０から抜け落ちるのを防止できる。
（１２）紐固定具の第１、第２紐通し孔１２，３２に挿通された紐２を、保持具４の取付部側紐通し孔４１および収容部側紐通し孔５７にも挿通させることにより、紐固定具３と収容部５０の間に紐２が挟まれることはないので、紐固定具３を滑らかに移動させることができ、また、紐固定具を収容部５０に保持しやすくなる。
【００３２】
（１３）取付部４０に取付部側紐通し孔４１が形成されていることから、この取付部側紐通し孔４１を被着体１の引出し孔１Ａに一致させた状態で、取付部４０を被着体１に取付けると、引出し孔１Ａが保持具３によって覆い隠されるので、被着体１の外観を向上させることができる。
（１４）取付部側紐通し孔４１と収容部側紐通し孔５７が対向して形成されていることから、紐固定具３の移動時に収容空間５６内で紐２が直線状となり、紐固定具３を滑らかに移動させることができる。
（１５）取付溝４２では取付部４０の厚さが薄いので、取付溝４２に沿うことで縫着糸４３を縫いやすくなる。つまり、取付溝４２を被着体１に取付けやすくなる。
【００３６】
なお、本発明は前述の実施形態に限定されるものではなく、本発明の目的を達成できる範囲での変形、改良等は本発明に含まれるものである。
【００３９】
本発明では、収容空間５６が、紐固定具３の外形形状よりも僅かに小さい内形形状を持つ伸縮性部材から形成されていてもよい。このような構成によると、紐固定具３を収容空間５６に収容すると、収容空間５６は伸張して紐固定具３の外面に密着する。このとき伸縮性部材の復元力が紐固定具３に働くので、収容部５０が紐固定具３を保持する保持力を高めることができる。
【００４０】
紐固定具３は、必ずしも前記実施形態で述べた構造でなくてもよく、例えば、ばね２０に替えて、プラグ３０の下端に弾性を有する脚片を形成し、この弾性脚片がソケット１０のプラグ挿入孔１１の内面に対し摺動することにより、プラグ３０に付勢を与える構造であってもよい。
前記実施形態で用いた紐固定具３は、１本の紐２を挿通させて使用されるものであるが、本発明では、２本の紐２を挿通させ、この２本の紐２に対し移動および固定させて使用される紐固定具を用いてもよい。
【産業上の利用可能性】
【００４６】
本発明は、被着体の紐に装着された部品を被着体に保持する保持具に利用できる。
【図面の簡単な説明】
【００４７】
【図１】本発明の一実施形態にかかる保持具および紐固定具を示した斜視図。
【図２】同上の実施形態にかかる保持具に紐固定具を収容し紐を挿通した状態の斜視図。
【図３】同上の実施形態にかかる紐に対して移動時の紐固定具および保持具の断面図。
【図４】同上の実施形態にかかる紐に対して固定時の紐固定具および保持具の断面図。
【図５】従来の紐固定具を衣服に取付けた例を示す図。
【符号の説明】
【００４８】
１…被着体、２…紐、３…紐固定具、４…保持具、１０…ソケット、１１…プラグ挿入孔、１２…第１紐通し孔、２０…ばね、３０…プラグ、３１…操作部、３２…第２紐通し孔、４０…取付部、４１…取付部側紐通し孔、４２…取付溝、５０…収容部、５５…開口、５６…収容空間、５７…収容部側紐通し孔。
【図１】
0004496058.tif 000002
【図２】
0004496058.tif 000003
【図３】
0004496058.tif 000004
【図４】
0004496058.tif 000005
【図５】
0004496058.tif 000006